(57)【要約】【課題】  歯に被せたクラウンが破損等した場合に、裏打ちキャップを口腔内の支台歯に残したままクラウンのみを交換することで治療を迅速かつ容易に行うことを可能とする。【解決手段】  二以上の裏打ちキャップ４を有するフレーム６上において、裏打ちキャップ４ごとにクラウン１を焼成することなく接着剤により接着してなる歯科用補綴物とする。また、クラウン１を少なくともセラミックス又はレジンのいずれかを材料として、裏打ちキャップ４を少なくともレジン又はジルコニアのいずれかを材料として、それぞれ製作する。さらに、少なくともクラウン又は裏打ちキャップのいずれかがＣＡＤ／ＣＡＭシステムにより製作され、クラウンに裏打ちキャップを、接着剤により接着してなる歯科用補綴物とする。【選択図】  図２
2009100869.tif 000002
【特許請求の範囲】
【請求項１】
クラウンと裏打ちキャップからなる歯科用補綴物であって、二以上の前記裏打ちキャップを有するフレーム上において、前記裏打ちキャップごとに前記クラウンを接着剤により接着してなることを特徴とする歯科用補綴物。
【請求項２】
前記フレームが、少なくともレジン又はジルコニアのいずれかの材料からなることを特徴とする請求項１記載の歯科用補綴物。
【請求項３】
少なくとも前記クラウン又は前記フレームのいずれかが、ＣＡＤ／ＣＡＭシステムにより製作されたものであることを特徴とする請求項１又は２記載の歯科用補綴物。
【請求項４】
クラウンと裏打ちキャップからなる歯科用補綴物であって、少なくとも前記クラウン又は前記裏打ちキャップのいずれかがＣＡＤ／ＣＡＭシステムにより製作され、前記クラウンに前記裏打ちキャップを、接着剤により接着してなることを特徴とする歯科用補綴物。
【請求項５】
前記クラウンが、少なくともセラミックス又はレジンのいずれかの材料からなることを特徴とする請求項１〜４のいずれかに記載の歯科用補綴物。
【請求項６】
請求項１〜５記載の歯科用補綴物を支台歯に接着剤により接着した後、前記歯科用補綴物における前記クラウンが破損又は消耗した場合、前記裏打ちキャップを前記支台歯に接着させたまま、破損又は消耗した前記クラウンを前記裏打ちキャップから除去し、新たに製作したクラウンを前記裏打ちキャップに接着剤により接着することを特徴とする歯科用補綴物の使用方法。
【請求項７】
クラウンと裏打ちキャップからなる歯科用補綴物の製作方法であって、クラウンと、二以上の裏打ちキャップを有するフレームをＣＡＤ／ＣＡＭシステムにより製作し、製作した前記フレーム上において、前記裏打ちキャップごとに前記クラウンを、接着剤により接着することを特徴とする歯科用補綴物の製作方法。
【請求項８】
前記フレームが、少なくともレジン又はジルコニアのいずれかの材料からなることを特徴とする請求項７記載の歯科用補綴物の製作方法。
【請求項９】
前記クラウンが、少なくともセラミックス又はレジンのいずれかの材料からなることを特徴とする請求項７又は８記載の歯科用補綴物の製作方法。
【発明の詳細な説明】
【技術分野】
【０００１】
本発明は、歯の治療に用いる歯科用補綴物に関し、特に裏打ちキャップにクラウンを焼成することなく接着剤により接着してなる歯科用補綴物、歯科用補綴物の使用方法、及び歯科用補綴物の製作方法に関する。
【背景技術】
【０００２】
従来、歯の治療に用いるセラミックスクラウンなどの歯科用補綴物は、一般にセラミックス材を裏打ちキャップ（ベースキャップ）に築盛して焼成することにより裏打ちキャップから剥がれないように焼き付け、口腔内の支台歯への取り付けが行われている。また、鋳造法によりベースとなる裏打ちキャップ上に溶解したセラミックス材を流し込むことで、セラミックス材を裏打ちキャップから剥がれないように焼き付けるとともに、クラウンの形状を製作することも同時に行われている。
このような裏打ちキャップの材料としては、主に金属が広く用いられている。
【０００３】
しかしながら、裏打ちキャップの材料として金属を用いた場合、使用する金属の色や、鋳造法にもとづく酸化の影響により歯科用補綴物や歯肉部分が黒っぽく見えてしまうことが多く、自然な歯の色を表現することがとても困難であった。
また、裏打ちキャップの材料として金属を用いると、鋳造法では金属の裏打ちキャップが溶解する熱の影響によって硬くなり十分な柔らかさを得ることができなかった。
さらに、このような歯科用補綴物は、金属アレルギーをもつ患者に用いることができないという問題もあった。
【０００４】
これに対し、このような従来の鋳造法によって製作された金属の裏打ちキャップを用いた場合に生じる各種問題は、裏打ちキャップの材料として、明度や色調そして柔軟性の高いレジン（樹脂）などの素材を用いることができれば、一部改善されると考えられる。
すなわち、レジンの裏打ちキャップなどを用いれば、歯科用補綴物の色彩をより自然な歯の色に再現することができ、より高い柔軟性を実現できるとともに、金属アレルギーの患者に対しても使用し得る歯科用補綴物を製作することが可能となる。
【０００５】
【特許文献１】特開平１０−４３２０９号公報
【特許文献２】特開平１０−９４５５１号公報
【発明の開示】
【発明が解決しようとする課題】
【０００６】
しかしながら、レジンは融点が低いことから、焼成するセラミックスのクラウンをレジンの裏打ちキャップに焼き付けることはできない。
また、仮にクラウンと裏打ちキャップを焼成により焼き付けることが行えたとしても、従来の歯科用補綴物が口腔内の支台歯に取り付けられた後に、何らかの問題でクラウンに破損などが生じた場合、歯科用補綴物全体を新しいものに交換しなくてはならない。
【０００７】
すなわち、このような方法で製作された歯科用補綴物の場合、クラウンと裏打ちキャップを口腔内で分離することは不可能であるため、歯科用補綴物を裏打ちキャップごと口腔内から除去する必要があった。
そして、新たなクラウンと裏打ちキャップからなる歯科用補綴物を再度焼成し直して製作し、この新たな歯科用補綴物を口腔内の支台歯に取り付けるという作業を行う必要があった。
【０００８】
これに対し、クラウンのみが破損した場合に、その裏打ちキャップはそのまま口腔内の支台歯に残し、クラウンのみを裏打ちキャップから取り外して交換することができれば、治療をより効率的に行うことができると考えられる。
また、二以上の裏打ちキャップを有するフレームを製作した場合、それぞれの裏打ちキャップにクラウンを焼成により焼き付けると、一部のクラウンが破損した場合でも、フレームごと支台歯から取り外さなくてはならず、治療が非効率的になり患者の負担も大きい。
したがって、このようなフレームを用いる場合は特に、裏打ちキャップはそのまま支台歯に残し、問題のあるクラウンのみを裏打ちキャップから取り外して交換できれば大変便利である。
【０００９】
ここで、歯科用補綴物の製作にあたり、レジンを用いる発明としては、例えば特許文献１に記載の歯科用材料や特許文献２に記載の歯科用補綴物の製作方法等を挙げることができる。
特許文献１に記載の発明によれば、多孔質セラミックスの連通孔にレジン用化合物を浸透させて重合させることで、歯科用補綴物の機械的強度や耐変色性、耐着色性を向上させることが可能となっている。
【００１０】
また、特許文献２には、セラミックスや高強度ポリマーなどを層状に構成して、耐研磨性の層、耐破損性の層、及び低硬度かつ高い抗破損強度の層等からなる積層材料とし、優れた抗破損強度を有する層が補強構造となるように、この積層材料から歯科用補綴物を切削する発明が記載されている。
【００１１】
しかしながら、これらの従来技術においても、クラウンが破損等した場合に、クラウンのみをレジンキャップから分離して除去するということは、その構造上行うことはできない。
したがって、これらの先行技術文献に記載の発明を用いた場合でも、クラウンが破損等した場合には、歯科用補綴物全体を口腔内から除去した後、再度歯科用補綴物を新たに製作し直す必要があるという問題があった。
【００１２】
一方、近年、セラミックスクラウンなどを三次元設計データにもとづき自動的に研削加工するＣＡＤ／ＣＡＭシステム（Ｃｏｍｐｕｔｅｒ  Ａｉｄｅｄ  Ｄｅｓｉｇｎ  ＆  Ｍａｎｕｆａｃｔｕｒｉｎｇ  Ｓｙｓｔｅｍ）が発達し、加工機により人の技術に左右されない安定したクラウンを製作することが可能となっている。
【００１３】
このようなＣＡＤ／ＣＡＭシステムを用いると、クラウンが破損等した場合でも、クラウンの設計・加工データを蓄積しておくことにより、そのデータにもとづき容易に同じクラウンをいつでも自動的に再製作することができる。
このため、クラウンと裏打ちキャップからなる歯科用補綴物において、クラウンのみを交換可能にすることができれば、クラウンに問題が生じた場合でも、治療を迅速かつ容易に行うことが可能である。
【００１４】
なお、近年、ＣＡＤ／ＣＡＭシステムにより、優れたセラミックス材料を用いて、裏打ちキャップを用いないオールセラミックスクラウンを製作することも盛んに行われている。
このような技術により、審美性や強度に優れた安定した品質のクラウンを提供することができるようになっている。
【００１５】
しかし、例えばブリッジなどの複数の歯に対する歯科用補綴物をオールセラミックスで製作すると、一部が損傷した場合でも全体を交換しなければならない。また、歯の動きを考慮した場合、歯１本ごとに適度な柔軟性のあることが望ましいが、レジンの裏打ちキャップを用いれば、歯科用補綴物に優れた柔軟性を与えることも可能である。
【００１６】
本発明は、上記の事情にかんがみなされたものであり、クラウンにレジンやジルコニアなどからなる裏打ちキャップを、焼成することなく接着剤により接着することで、クラウンが破損等した場合に、裏打ちキャップを口腔内の支台歯に取り付けたままクラウンのみを口腔内で取り除き、ＣＡＤ／ＣＡＭシステムなどにより製作した新たなクラウンに交換可能として、迅速かつ容易な治療を実現する歯科用補綴物、歯科用補綴物の使用方法、及び歯科用補綴物の製作方法の提供を目的とする。
【００１７】
また、レジンやジルコニアなどからなる裏打ちキャップを複数有し、複数のクラウンを取り付け可能な連結フレームを製作して、このフレームにクラウンを焼成することなく接着剤により接着することで、破損したクラウンのみを交換可能とし、迅速かつ容易な治療を実現する歯科用補綴物、歯科用補綴物の使用方法、及び歯科用補綴物の製作方法の提供を目的とする。
【課題を解決するための手段】
【００１８】
上記目的を達成するため、本発明の歯科用補綴物は、クラウンと裏打ちキャップからなる歯科用補綴物であって、二以上の裏打ちキャップを有するフレーム上において、裏打ちキャップごとにクラウンを接着剤により接着してある。
歯科用補綴物をこのようにすれば、クラウンに破損等の問題が生じた場合に、口腔内でクラウンのみを除去することができる。
【００１９】
すなわち、焼成による焼き付けを行う従来の歯科用補綴物では、クラウンと裏打ちキャップを分離することは困難であり、クラウンに問題が生じると、歯科用補綴物を裏打ちキャップごと口腔内の支台歯から取り除く必要があった。
これに対し、本発明の歯科用補綴物によれば、裏打ちキャップを支台歯に残したままクラウンのみを除去することができる。そして、新たに製作したクラウンを、口腔内の支台歯に残した裏打ちキャップに接着することができる。
【００２０】
特に、本発明によれば、フレームにおける二以上の裏打ちキャップにそれぞれ接着されたクラウンのうちの一部が破損等した場合に、口腔内からフレームごと取り出してクラウンを交換する必要はなく、問題のあるクラウンのみをフレームから除去して、これを交換することができる。
このため、治療をより迅速かつ容易に行うことができるとともに、患者の負担を軽減することが可能となる。
【００２１】
また、本発明の歯科用補綴物は、フレームの材料を、少なくともレジン又はジルコニアのいずれかにすることが好ましい。
歯科用補綴物をこのようにすれば、審美性などに優れた歯科用補綴物を提供することが可能となる。
【００２２】
すなわち、本発明の歯科用補綴物におけるフレームは、二以上の裏打ちキャップを有するが、この裏打ちキャップとして従来の金属キャップを用いると、自然な歯の色に近づけることが困難であり、また金属アレルギーなどの問題がある。本発明の歯科用補綴物によれば、裏打ちキャップの材料として無色透明又は白色のレジンやジルコニアを用いることで、これらの問題を解消することが可能となっている。
【００２３】
また、本発明の歯科用補綴物は、少なくともクラウン又はフレームのいずれかが、ＣＡＤ／ＣＡＭシステムにより製作されたものとすることが好ましい。
歯科用補綴物のクラウンやフレームの計測・加工データを一度保存しておけば、ＣＡＤ／ＣＡＭシステムにより自動的にクラウンやフレームをいつでも製作することができ、治療のさらなる容易化と質の向上を図ることが可能となる。
【００２４】
また、本発明の歯科用補綴物は、クラウンと裏打ちキャップからなる歯科用補綴物であって、少なくともクラウン又は裏打ちキャップのいずれかがＣＡＤ／ＣＡＭシステムにより製作され、クラウンに裏打ちキャップを、接着剤により接着してある。
歯科用補綴物をこのようにすれば、クラウンに破損等の問題が生じた場合に、口腔内でクラウンのみを除去することができる。
【００２５】
また、このように、クラウン等をＣＡＤ／ＣＡＭシステムを用いて製作したものとすれば、クラウンが破損等した場合でも、元のクラウンと同一のものを容易に製作することができる。
このため、クラウンの破損等の治療を行う場合に、クラウンを迅速かつ容易に交換することができ、治療に際しての患者の負担を軽減することが可能となる。
【００２６】
また、本発明の歯科用補綴物は、クラウンの材料を、少なくともセラミックス又はレジンのいずれかにすることが好ましい。
これにより、審美性に優れ、かつクラウンが破損等した場合でも交換の容易な歯科用補綴物を提供することが可能となる。
【００２７】
また、本発明の歯科用補綴物の使用方法は、上記歯科用補綴物を支台歯に接着剤により接着させた後、歯科用補綴物におけるクラウンが破損又は消耗した場合、裏打ちキャップを支台歯に接着させたまま、破損又は消耗したクラウンを裏打ちキャップから除去し、新たに製作したクラウンを裏打ちキャップに接着剤により接着する方法としてある。
【００２８】
歯科用補綴物の使用方法をこのような方法にすれば、クラウンが破損等した場合に、裏打ちキャップを支台歯に接着させたまま、クラウンのみを新たなものに交換することができる。
このため、治療を迅速かつ容易に行うことができるとともに、患者への負荷を軽減することが可能となる。
【００２９】
また、本発明の歯科用補綴物の製作方法は、クラウンと裏打ちキャップからなる歯科用補綴物の製作方法であって、クラウンと、二以上の裏打ちキャップを有するフレームをＣＡＤ／ＣＡＭシステムにより製作し、製作したフレーム上において、裏打ちキャップごとにクラウンを、接着剤により接着する方法としてある。
【００３０】
歯科用補綴物の製作方法をこのような方法にすれば、複数のクラウンをフレームに焼成することなく接着することができる。
そして、一部のクラウンが破損等した場合に、口腔内でそのクラウンのみをフレームから除去するとともに、ＣＡＤ／ＣＡＭシステムにより新たに同一のクラウンを再製作して、接着剤によりフレームに接着することができる。
このため、フレームごと口腔内から除去して、再度歯科用補綴物全体を製作し直す必要がなく、治療を迅速かつ容易化することができ、患者の負担を軽減することも可能となる。
【００３１】
また、本発明の歯科用補綴物の製作方法は、フレームの材料を、少なくともレジン又はジルコニアのいずれかにすることが好ましい。
歯科用補綴物の製作方法をこのような方法にすれば、歯科用補綴物の色をより自然な歯の色に近づけることができ、審美性にすぐれた歯科用補綴物を提供することが可能となる。また、金属アレルギーの患者にも使用することのできる歯科用補綴物を提供することが可能となる。
【００３２】
また、本発明の歯科用補綴物の製作方法は、クラウンの材料を、少なくともセラミックス又はレジンのいずれかにすることが好ましい。
これにより、審美性に優れ、かつクラウンが破損等した場合でもこれを容易に交換して迅速な治療を行うことできる歯科用補綴物を製造することが可能となる。
【発明の効果】
【００３３】
本発明によれば、クラウンと裏打ちキャップからなる歯科用補綴物において、クラウンに破損等の問題が生じた場合に、裏打ちキャップを支台歯に残したまま、口腔内でクラウンのみを除去することができる。
このため、新たに製作したクラウンを元の裏打ちキャップに接着することで、迅速かつ容易に治療を行うことができ、患者への負担を軽減することが可能となる。
【発明を実施するための最良の形態】
【００３４】
［第一実施形態］
まず、本発明の第一実施形態の歯科用補綴物について、図１を参照して説明する。図１は、本実施形態の歯科用補綴物を示すものであり、裏打ちキャップを接着した単冠のクラウンの側面図である。
同図に示すように、本実施形態の歯科用補綴物は、セラミックス又はレジンクラウン１、クラウンの内面処理部２、接着レジンセメント３、レジン又はジルコニア裏打ちキャップ４を含む構成となっている。
【００３５】
セラミックス又はレジンクラウン１は、治療対象の歯の支台歯やインプラントにかぶせる歯冠であり、少なくともセラミックス又はレジンのいずれかを材料とし、ＣＡＤ／ＣＡＭシステムにより加工して製作したものを好適に用いることができるが、これに限定されるものではない。
なお、従来の歯科用補綴物の製作方法として、築盛法によるものがある。これはＣＡＤ／ＣＡＭシステムを用いることなく、歯科技工士が手作業により歯科用補綴物を製作する方法である。
【００３６】
この方法により製作される歯科用補綴物は、その品質等が歯科技工士の技量に左右されるため、安定した品質のセラミックス又はレジンクラウンを迅速に製作することはできないが、このようにして製作されたクラウンを、本実施形態のセラミックス又はレジンクラウン１として使用することも可能である。
【００３７】
クラウンの内面処理部２は、セラミックス又はレジンクラウン１における裏打ちキャップに取り付ける側の内面部分であり、接着効果を高めるため、トリボケミカル処理剤やシラン処理剤等により表面処理（内面処理）を施した部分である。なお、レジン又ジルコニア裏打ちキャップ４におけるクラウンとの接着部分も、接着効果を高めるために、表面処理を行うことが好ましいが、図１ではこの処理部分は省略している。
【００３８】
接着レジンセメント３は、セラミックス又はレジンクラウン１とレジン又はジルコニア裏打ちキャップ４を接着する為のセメントである。
また、裏打ちキャップの材料がジルコニアの場合は、ホスホン酸配合の表面処理剤等を好適に用いることができる。また、裏打ちキャップの材料がレジンの場合は、トリボケミカル処理剤やシラン処理剤等を好適に用いることができる。
このような表面処理剤等をそれぞれの使用材料に対して用いることで、レジンセメントと強い接着力を得ることができる。
【００３９】
すなわち、このように接着レジンセメント３と表面処理剤を接着させることで、クラウンと裏打ちキャップを焼成しなくても、通常の使用に不都合のない優れた接着効果を得ることが可能である。
また、セラミックス又はレジンクラウン１の接着部分の表面処理と、レジン又はジルコニア裏打ちキャップ４の接着部分の表面処理、及びセラミックス又はレジンクラウン１とレジン又はジルコニア裏打ちキャップ４の接着作業は、製作側の技工所サイドで行うことができるため、的確に行えるとともに、新たな市場を生み出すことも可能となる。
【００４０】
なお、本実施形態では、セラミックス又はレジンクラウン１とレジン又はジルコニア裏打ちキャップ４の接着に、接着レジンセメント３を用いているが、これに限定されるものではなく、接着剤の材質としてレジン以外のものを用いてもかまわない。
【００４１】
レジン又はジルコニア裏打ちキャップ４のうち、レジン裏打ちキャップは、レジンを材料として製作された裏打ちキャップである。
このレジン裏打ちキャップを使用することで、歯科用補綴物におけるクッションの役割を果たすことができ、噛み合せ時に発生する歯牙やインプラントに掛かる圧力を分散させることも検討できる。
【００４２】
また、このレジン又はジルコニア裏打ちキャップ４は、裏打ちキャップの色をオペーク色（不透明）にすることが可能であり、そのようにすることが好ましい。キャップの色をこのようにすれば、口腔内の支台歯が変色したり、金属支台歯（メタルコア）の場合でも、これらが歯科用補綴物の色彩に影響を与えることを防止することが可能となる。
【００４３】
なお、本実施形態では、裏打ちキャップとして、レジン又はジルコニア裏打ちキャップ４を用いているが、これらに限定されるものではなく、上記の各効果の全部又は一部を得ることができる他の材料を用いることも可能である。
例えば、レジン及びジルコニアの混合物を裏打ちキャップの材料として用いることも可能である。
【００４４】
また、クラウンに裏打ちキャップを焼成することなく接着剤により接着することで、クラウンに破損等の問題が生じた場合に口腔内でクラウンのみを除去して交換することができるという本発明の効果については、裏打ちキャップの材料として金属を用いた場合でも、同様に得ることが可能である。
したがって、歯科用補綴物の色彩などの観点から、裏打ちキャップの材料としてレジンやジルコニアを用いることがより好ましいが、金属を裏打ちキャップの材料として用いることも可能である。
【００４５】
さらに、クラウンを裏打ちキャップに焼成により焼き付ける従来の築盛法や鋳造法では、熱により裏打ちキャップが溶けないように、裏打ちキャップの材料は、クラウンよりも融点の高い材質のものに限定されていた。
しかし、本発明の歯科用補綴物では、クラウンと裏打ちキャップとを接着剤により接着する構成としてあるため、クラウンの材料よりも融点の低い素材を裏打ちキャップの材料として用いることが可能となる。
【００４６】
次に、本実施形態の歯科用補綴物の製作方法の一例について説明する。
まず、患者の歯形模型を作成し、その歯形模型の形状を三次元スキャナなどにより読み取って、セラミックス又はレジンクラウン１の三次元歯冠データを作成する。
そして、得られた三次元歯冠データにもとづいて、セラミックス又はレジンクラウン１をＣＡＤ／ＣＡＭシステムにより製作する。
これらは、従来既存の技術により行うことができる。
【００４７】
また、レジン又はジルコニア裏打ちキャップ４は、治療のために形成された支台歯模型の形状を三次元スキャナなどにより読み取って、三次元支台歯データを製作することで、その支台歯に適した裏打ちキャップをＣＡＤ／ＣＡＭシステムにより製作できる。
【００４８】
そして、製作したセラミックス又はレジンクラウン１にレジン又はジルコニア裏打ちキャップ４を、焼成することなく接着剤により接着する。
このとき、接着するそれぞれの表面処理を、材質に合わせた適切な処理剤と処理方法により行うことで、強い接着能力を得ることができる。
【００４９】
ここで、セラミックス材及びレジン材の表面処理には、シラン処理剤を使用することが好ましい。このシラン処理剤は、各種セラミックス材やレジン材に含まれているシリカ成分に反応する処理剤である。
また、ジルコニア材の表面処理には、ホスホン酸配合の処理剤を好適に用いることができる。
【００５０】
すなわち、クラウン及び裏打ちキャップとも、使用される材料に適した処理剤を用いて、表面処理が行われる。
そして、これらの処理剤と接着レジンセメント３が反応することで、クラウンと裏打ちキャップとが接着される。
【００５１】
具体的には、クラウン及び裏打ちキャップの種類に応じて、それぞれ次のよう表面処理剤を用いることができる。
（１）セラミックスクラウン＋レジンキャップ  →  シラン処理剤＋シラン処理剤
（２）セラミックスクラウン＋ジルコニアキャップ  →  シラン処理剤＋ホスホン酸含有処理剤
（３）レジンクラウン＋レジンキャップ  →  シラン処理剤＋シラン処理剤
（４）レジンクラウン＋ジルコニアキャップ  →  シラン処理剤＋ホスホン酸含有処理剤
【００５２】
次に、本実施形態の歯科用補綴物の使用方法の一例について説明する。
まず、上記のように製作した本実施形態の歯科用補綴物を、支台歯に接着剤（接着レジンセメント３）により接着して、治療を完了させる。
その後、この歯科用補綴物におけるセラミックスクラウン１が破損又は消耗等した場合には、レジン又はジルコニア裏打ちキャップ４を口腔内の支台歯に接着させた状態で口腔内に残したまま、セラミックス又はレジンクラウン１をレジン又はジルコニア裏打ちキャップ４から除去して、レジン又はジルコニア裏打ちキャップ４を露出させる。
【００５３】
一方、除去するセラミックス又はレジンクラウン１と同一のセラミックス又はレジンクラウン１を、元のセラミックス又はレジンクラウン１の三次元歯冠データに基づきＣＡＤ／ＣＡＭシステムにより製作する。
そして、製作したセラミックス又はレジンクラウン１をレジン又はジルコニア裏打ちキャップ４に接着剤により接着する。
【００５４】
以上説明したように、本実施形態の歯科用補綴物によれば、セラミックス又はレジンクラウン１が破損等した場合に、口腔内で当該セラミックス又はレジンクラウン１のみを除去することができる。
すなわち、セラミックス又はレジンクラウン１とレジン又はジルコニア裏打ちキャップ４とが、焼成されることなく接着剤により接着された構成となっているため、レジン又はジルコニア裏打ちキャップ４を支台歯に残したままセラミックス又はレジンクラウン１のみを除去することができる。
【００５５】
このため、例えばＣＡＤ／ＣＡＭシステムにより容易に新たなセラミックス又はレジンクラウン１を作成し、これを支台歯に残したレジン又はジルコニア裏打ちキャップ４に接着することで、迅速かつ容易に治療できるとともに、患者の負担を軽減することが可能となる。
【００５６】
［第二実施形態］
次に、本発明の第二実施形態の歯科用補綴物について、図２及び図３を参照して説明する。
図２は、本実施形態の歯科用補綴物の底面図であり、図３は、本実施形態の歯科用補綴物の断面図である。
【００５７】
図２に示すように、本実施形態の歯科用補綴物は、複数のレジン又はジルコニア裏打ちキャップ４が連結部５により連結した構成となっており、連結フレーム６として一体的に形成されている。
そして、この連結フレーム６における各レジン又はジルコニア裏打ちキャップ４ごとに、第一実施形態における場合と同様に、セラミックス又はレジンクラウン１が焼成することなく接着剤により接着されている。
すなわち、レジン又はジルコニア裏打ちキャップ４は、セラミックス又はレジンクラウン１と接着レジンセメント３を用いて接着されており、セラミックス又はレジンクラウン１における接着部分には表面処理が施されている。
【００５８】
図３は、連結フレーム６を連結部５の中央で切断した場合の断面図である。同図において、一個のセラミックス又はレジンクラウン１を含む連結フレーム６の一部分の断面が示されている。
図３では連結部５の断面が円形となっているが、当該形状に限定されるものではない。また、内面処理部２及び接着レジンセメント３は、セラミックス又はレジンクラウン１ごとに第一実施形態と同様に存在するが、図２及び図３においては省略している。
その他、本実施形態の歯科用補綴物におけるセラミックス又はレジンクラウン１、接着レジンセメント３、及びレジン又はジルコニア裏打ちキャップ４の材料などについては、第一実施形態と同様のものとすることができる。
【００５９】
次に、本実施形態の歯科用補綴物の製作方法の一例について説明する。
まず、本実施形態でも、第一実施形態における場合と同様にＣＡＤ／ＣＡＭシステムなどを用いて、二以上のセラミックス又はレジンクラウン１を製作するとともに、二以上のレジン又はジルコニア裏打ちキャップ４を有する、連結フレーム６を製作する。
そして、この連結フレーム６上において、各レジン又はジルコニア裏打ちキャップ４ごとにセラミックス又はレジンクラウン１を焼成することなく接着剤により接着する。
これによって、本実施形態の歯科用補綴物を製作することができる。
【００６０】
次に、本実施形態の歯科用補綴物の使用方法の一例について説明する。
まず、上記のように製作した歯科用補綴物の連結フレーム６を支台歯に接着レジンセメントにより接着して、治療を完了させる。
その後、この歯科用補綴物における一又は二以上のセラミックス又はレジンクラウン１が破損又は磨耗等した場合、連結フレーム６を支台歯に接着させた状態で口腔内に残したまま、その破損等したセラミックス又はレジンクラウン１を連結フレーム６から除去して、それぞれのセラミックス又はレジンクラウン１が接着されていたレジン又はジルコニア裏打ちキャップ４を露出させる。
【００６１】
一方、除去するセラミックス又はレジンクラウン１とそれぞれ同一の一又は二以上セラミックス又はレジンクラウン１を、元のセラミックス又はレジンクラウン１の三次元歯冠データに基づきＣＡＤ／ＣＡＭシステムにより製作する。
そして、製作したセラミックス又はレジンクラウン１をそれぞれ対応するレジン又はジルコニア裏打ちキャップ４に接着剤により接着する。
【００６２】
以上説明したように、本実施形態の歯科用補綴物によれば、一の連結フレーム６上に取り付けられた複数のセラミックス又はレジンクラウン１のうちの一部が破損等した場合に、破損等したセラミックス又はレジンクラウン１のみを連結フレーム６から除去することができる。
すなわち、口腔内から連結フレーム６ごと取り出すことなく、破損等したセラミックス又はレジンクラウン１を新しいセラミックス又はレジンクラウン１に交換することが可能である。
【００６３】
また、本実施形態の歯科用補綴物における連結フレーム６によれば、連結部５の中央で切断を行うことで、セラミックス又はレジンクラウン１を１本だけ分離して、治療を行うことなども可能である。
このため、治療をより迅速かつ容易に行うことができるとともに、柔軟に行うことができ、患者の負担を軽減することが可能となる。
【００６４】
本発明は、以上の実施形態に限定されるものではなく、本発明の範囲内において、種々の変更実施が可能であることは言うまでもない。
例えば、裏打ちキャップの材料としては、レジンやジルコニアに限定されるものではなく、クラウンと接着することができ、審美性に優れた歯科用補綴物を製作できるものであれば、そのほかの材料を用いることも可能である。
【００６５】
また、クラウンとしては、セラミックス又はレジンクラウンを用いることが好ましいが、これに限定されるものではなく、裏打ちキャップと接着することができ、これらのクラウンを用いた場合と同様か又はそれ以上の機能を奏するものであれば、その他の材料を用いることも可能である。
【産業上の利用可能性】
【００６６】
本発明は、ＣＡＤ／ＣＡＭシステムを用いてセラミックス又はレジンクラウンを加工し、これを用いた歯科用補綴物を製作する場合などに好適に利用することが可能である。
【図面の簡単な説明】
【００６７】
【図１】本発明の第一実施形態の歯科用補綴物の側面図である。
【図２】本発明の第二実施形態の歯科用補綴物の底面図である。
【図３】本発明の第二実施形態の歯科用補綴物の断面図である。
【符号の説明】
【００６８】
１  セラミックス又はレジンクラウン
２  内面処理部
３  接着レジンセメント
４  レジン又はジルコニア裏打ちキャップ
５  連結部
６  連結フレーム
【図１】
2009100869.tif 000003
【図２】
2009100869.tif 000004
【図３】
2009100869.tif 000005